(57)【要約】  装置は、患者の身体の導管内の閉塞物を捕捉および除去するためものである。装置は、円周および長手方向軸を有する円筒体を含む。いくつかの実装形態によれば、円筒体は、長手方向軸の周りに斜め方向列に配置された複数の閉鎖セル構造体からなる。閉鎖セル構造体の少なくとも一部は実質的に同じ形状および大きさを有する。いくつかの実装形態によれば、実質的に同じ形状および大きさの閉鎖セル構造体のうちの少なくとも一部は、円筒体において同じ円周方向位置を占め、かつ閉鎖セル構造体の２、３、４つまたはそれ以上の斜め方向列だけ長手方向に互いに離間されている。他の実装形態によれば、閉鎖セル構造体は、少なくとも曲線状部分および直線状部分を有する斜め方向に延びるストラットを含む。【選択図】図１
2021512762.tif 000002
【特許請求の範囲】
【請求項１】
患者の身体の導管内の閉塞物を捕捉する装置であって、前記装置が、
近位端、遠位端、円周および長手方向軸を有する円筒体を含み、前記円筒体が、ストラットによって形成された複数のセル構造体を含み、前記複数のセル構造体が、同じ大きさおよび形状であり、かつ前記長手方向軸の周りに斜め方向列に配置され、前記複数のセル構造体が、第１、第２、第３、第４および第５のセル構造体を含み、前記第１のセル構造体が、前記第２、第３、第４および第５のセル構造体によって囲まれ、かつ前記第２、第３、第４および第５のセル構造体の各々とともに少なくとも１つのストラットを共有し、前記複数のセル構造体が各々、第１、第２、第３、第４、第５および第６のストラットを含み、前記第１、第２、第３、第４、第５および第６のストラットの各々が、近位端および遠位端を有し、前記第１、第２、第３、第４、第５のストラットおよび第６のストラットの前記近位端が、それぞれ前記第１、第２、第３、第４、第５、第６のストラットの前記遠位端に対して近位に位置し、前記第１のストラットの前記近位端が、前記第２のストラットの前記近位端に連結され、前記第３のストラットの前記遠位端が、前記第４のストラットの前記遠位端に連結され、前記第１のストラットの前記遠位端が、前記第５のストラットの前記近位端に連結され、前記第３のストラットの前記近位端が、前記第５のストラットの前記遠位端に連結され、前記第２のストラットの前記遠位端が、前記第６のストラットの前記近位端に連結され、前記第４のストラットの前記近位端が、前記第６のストラットの前記遠位端に連結され、前記第２の円周方向位置が、前記第１の円周方向位置から離間され、前記装置が長手方向に切断されかつ表面上に平坦に置かれたとき、前記第１、第２、第３および第４のストラットの各々の少なくとも第１の部分が曲線状であり、前記第１、第２、第３および第４のストラットの各々の少なくとも第２の部分が直線状である、装置。
【請求項２】
前記第５のストラットの前記近位端および遠位端が、互いに長手方向に整列され、かつ第１の円周方向位置にあり、前記第６のストラットの前記近位端および遠位端が、互いに長手方向に整列されており、かつ第２の円周方向位置にある、請求項１に記載の装置。
【請求項３】
前記装置が長手方向に切断されかつ表面上に平坦に置かれたとき、前記第５および第６のストラットのうちの少なくとも１つ全体が直線状である、請求項１に記載の装置。
【請求項４】
前記第５および第６のストラットのうちの前記少なくとも１つが、互いに長手方向に整列されている近位端および遠位端を有する、請求項３に記載の装置。
【請求項５】
前記第１、第２、第３および第４のストラットの各々が、近位端部分、遠位端部分および中間部分を有し、前記中間部分が、前記近位端部分と遠位端部分との間に位置し、前記装置が長手方向に切断されかつ表面上に平坦に置かれたとき、前記第１および第２の端部分が曲線状であり、前記中間部分が直線状である、請求項１に記載の装置。
【請求項６】
前記装置が長手方向に切断されかつ表面上に平坦に置かれたとき、前記第５および第６のストラットの各々の全体が直線状である、請求項１に記載の装置。
【請求項７】
前記複数のセル構造体のうちの第１のセル構造体が、前記複数のセル構造体のうちの第２のセル構造体と長手方向に整列され、前記複数のセル構造体のうちの前記第１のセル構造体が、前記円筒体内で前記複数のセル構造体のうちの前記第２のセル構造体に対して近位に位置し、前記複数のセル構造体のうちの前記第１および第２のセル構造体の各々が、近位端および遠位端を有し、前記長手方向軸に対して平行に走り、かつ前記複数のセル構造体のうちの前記第１のセル構造体の前記遠位端を、前記複数のセル構造体のうちの前記第２のセル構造体の前記近位端と接合させる仮想長手方向直線が、少なくとも３つの介在セル構造体と交差し、前記複数のセル構造体のうちの前記第２のセル構造体が、前記複数のセル構造体のうちの前記第１のセル構造体と長手方向に整列される、前記複数のセル構造体のうちの別のセル構造体のうちのいずれよりも前記複数のセル構造体のうちの前記第１のセル構造体の近くに位置する、請求項１に記載の装置。
【請求項８】
前記複数のセル構造体のうちの第１のセル構造体が、前記複数のセル構造体のうちの第２のセル構造体と長手方向に整列され、前記複数のセル構造体のうちの前記第１のセル構造体が、前記円筒体内で前記複数のセル構造体のうちの前記第２のセル構造体に対して近位に位置し、前記複数のセル構造体のうちの前記第１および第２のセル構造体の各々が、近位端および遠位端を有し、前記長手方向軸に対して平行に走り、かつ前記複数のセル構造体のうちの前記第１のセル構造体の前記遠位端を、前記複数のセル構造体のうちの前記第２のセル構造体の前記近位端と接合させる仮想長手方向直線が、少なくとも４つの介在セル構造体と交差し、前記複数のセル構造体のうちの前記第２のセル構造体が、前記複数のセル構造体のうちの前記第１のセル構造体と長手方向に整列される、前記複数のセル構造体のうちの別のセル構造体のうちのいずれよりも前記複数のセル構造体のうちの前記第１のセル構造体の近くに位置する、請求項１に記載の装置。
【請求項９】
前記複数のセル構造体のうちの第１のセル構造体が、前記複数のセル構造体のうちの第２のセル構造体と同じ円周方向位置を占め、前記複数のセル構造体のうちの前記第２のセル構造体が、同じ円周方向位置を占める前記複数のセル構造体のうちの別のセル構造体のうちのいずれよりも前記複数のセル構造体のうちの前記第１のセル構造体の近くに位置し、前記複数のセル構造体のうちの前記第１および第２のセル構造体が、前記複数のセル構造体の２つ以上の斜め方向列によって長手方向に離間されている、請求項１に記載の装置。
【請求項１０】
前記複数のセル構造体のうちの第１のセル構造体が、前記複数のセル構造体のうちの第２のセル構造体と同じ円周方向位置を占め、前記複数のセル構造体のうちの前記第２のセル構造体が、同じ円周方向位置を占める前記複数のセル構造体のうちの別のセル構造体のうちのいずれよりも前記複数のセル構造体のうちの前記第１の構造セル構造体の近くに位置し、前記複数のセル構造体のうちの前記第１および第２のセル構造体が、前記複数のセル構造体の３つ以上の斜め方向列によって長手方向に離間されている、請求項１に記載の装置。
【請求項１１】
前記複数のセル構造体のうちの第１のセル構造体が、前記複数のセル構造体のうちの第２のセル構造体と同じ円周方向位置を占め、前記複数のセル構造体のうちの前記第２のセル構造体が、前記同じ円周方向位置を占める前記複数のセル構造体のうちの別のセル構造体のうちのいずれよりも前記複数のセル構造体のうちの前記第１の構造セル構造体の近くに位置し、前記複数のセル構造体のうちの前記第１および第２のセル構造体が、前記複数のセル構造体の４つ以上の斜め方向列によって長手方向に離間されている、請求項１に記載の装置。
【請求項１２】
前記第５のストラットの前記遠位端および前記第６のストラットの前記近位端が、円周方向に整列されている、請求項１に記載の装置。
【請求項１３】
前記第１のストラットの前記近位端が、第１の長手方向位置で前記第２のストラットの前記近位端に連結され、前記第３のストラットの前記遠位端が、前記第１の長手方向位置に対して遠位の第２の長手方向位置で前記第４のストラットの前記遠位端に連結され、前記第１のストラットの前記遠位端が、第３の長手方向位置で前記第５のストラットの前記近位端に連結され、前記第３のストラットの前記近位端が、第４の長手方向位置で前記第５のストラットの前記遠位端に連結され、前記第２のストラットの前記遠位端が、第５の長手方向位置で前記第６のストラットの前記近位端に連結され、前記第４のストラットの前記近位端が、第６の長手方向位置で前記第６のストラットの前記遠位端に連結されている、請求項１に記載の装置。
【請求項１４】
前記第４の長手方向位置および第５の長手方向位置が、円周方向に整列されている、請求項１３に記載の装置。
【請求項１５】
前記第１の長手方向位置および前記第２の長手方向位置が長手方向に整列されていない、請求項１３に記載の装置。
【請求項１６】
近位端および遠位端を有する第１のアンテナをさらに含み、前記円筒体が前記第１のアンテナの前記遠位端に連結され、前記装置が長手方向に切断されかつ表面上に平坦に置かれたとき、前記第１のアンテナの少なくとも一部が直線状であり、前記少なくとも一部が、前記第５のストラットの少なくとも１つの前記近位端および前記遠位端とならびに／または前記第６のストラットの少なくとも１つの前記近位端および前記遠位端と長手方向に整列されている、請求項１に記載の装置。
【請求項１７】
近位端および遠位端を有する第２のアンテナをさらに含み、前記装置が長手方向に切断されかつ表面上に平坦に置かれたとき、前記第２のアンテナの少なくとも一部が直線状であり、前記第２のアンテナの前記少なくとも一部が、前記第５のストラットの少なくとも１つの前記近位端および前記遠位端とならびに／または前記第６のストラットの少なくとも１つの前記近位端および前記遠位端と長手方向に整列されている、請求項１６に記載の装置。
【請求項１８】
前記複数のセル構造体のうち、隣接するセル構造体が、前記第１、第２、第３、第４、第５または第６のストラットのうちの少なくとも１つを互いに共有し、前記隣接するセル構造体が互いに長手方向および円周方向にオフセットされる、請求項１に記載の装置。
【発明の詳細な説明】
【技術分野】
【０００１】
関連出願の相互参照
本出願は、２０１８年２月２日に出願された米国特許出願第１５／８８７，１７３号に関連し、その利益および優先権を主張する。
【０００２】
本開示は、身体の導管から閉塞物を回収する装置に関する。
【背景技術】
【０００３】
患者の身体の導管内の閉塞物は、そのまま残される場合、慢性的な健康問題につながり、死につながる場合さえある。
【０００４】
かかる閉塞物の例には、患者の血管内に位置する塞栓がある。塞栓は、血餅（血栓）、脂肪球（脂肪塞栓）または異物である場合がある。塞栓は、患者の神経血管構造における血管などの罹患した血管内の血流の部分的または全体的な閉塞を引き起こし得る。かかる閉塞の捕捉および除去は、脳卒中の発生を防ぎ得、または脳卒中の影響を少なくとも部分的に逆転させ得る。
【０００５】
尿路閉塞物は、腎臓、尿管、膀胱、および尿道を含む、その正常経路（尿路）を通る尿の流れを閉塞物が阻止する別の例である。閉塞は全体的または部分的であり、除去されない場合は、腎臓障害、腎臓結石、および感染症につながる場合がある。
【発明の概要】
【０００６】
本明細書では、患者の身体の導管から閉塞物を捕捉および除去する装置を開示している。
【０００７】
いくつかの実装形態によれば、円周および長手方向軸を有し、長手方向軸の周囲に斜め方向列に配置された実質的に同じ大きさおよび形状の複数のセル構造体を含む円筒体を含む、患者の身体の導管内の閉塞物を回収する装置が提供される。いくつかの実装形態によれば、複数のセル構造体は各々、第１、第２、第３、第４、第５および第６のストラットを含み、第１、第２、第３、第４、第５および第６のストラットの各々は近位端および遠位端を有する。いくつかの実装形態によれば、第１のストラットの近位端は第２のストラットの近位端に連結され、第３のストラットの遠位端は第４のストラットの遠位端に連結され、第１のストラットの遠位端は第５のストラットの近位端に連結され、第３のストラットの近位端は第５のストラットの遠位端に連結され、第２のストラットの遠位端は第６のストラットの近位端に連結され、第４のストラットの近位端は第６のストラットの遠位端に連結される。いくつかの実装形態によれば、第５のストラットの近位端および遠位端は互いに長手方向に整列され、かつ第１の円周方向位置にあり、第６のストラットの近位端および遠位端は互いに長手方向に整列され、かつ第２の円周方向位置にあり、第２の円周方向位置は第１の円周方向位置から離間している。いくつかの実装形態によれば、回収装置が長手方向に切断されかつ表面上に平坦に置かれたとき、第１、第２、第３および第４のストラットの各々の少なくとも第１の部分が曲線状であり、第１、第２、第３および第４のストラットの各々の少なくとも第２の部分が直線状になる。
【０００８】
他の実装形態によれば、第１、第２、第３および第４のストラットの各々は、近位端部分、遠位端部分および中間部分を有し、中間部分は近位端部分と遠位端部分との間に位置し、装置が長手方向に切断されかつ表面上に平坦に置かれたとき、第１の端部分および第２の端部分は曲線状であり、中間部分は直線状である。
【０００９】
他の実装形態によれば、患者の身体の導管内の閉塞物を捕捉および除去する装置が提供され、この装置は、円周および長手方向軸を有し、長手方向軸の周囲に配設された複数の斜め方向列に配置された複数の閉鎖セル構造体を含む円筒体を含む。複数の閉鎖セル構造体のうちの少なくとも一部は実質的に同じ形状および大きさであり、実質的に同じ形状および大きさの閉鎖セル構造体のうちの少なくとも一部は、円筒体内の同じ円周方向位置を占め、かつ閉鎖セル構造体の少なくとも２つ、３つ、４つ、またはそれ以上の斜め方向列だけ互いから長手方向に離間されている。
【００１０】
これらおよび他の利点および特徴は、図面および詳細な説明を考慮して明らかになるであろう。
【図面の簡単な説明】
【００１１】
【図１】いくつかの実装形態による閉塞物回収システムの斜視図を示す。
【００１２】
【図２Ａ】いくつかの実装形態による閉塞物回収装置の斜視図である。
【００１３】
【図２Ｂ】本装置がその長手方向軸に平行な線に沿って切断されかつ表面上に平坦に置かれた場合の、図２Ａの閉塞物回収装置の図である。
【００１４】
【図２Ｃ−Ｄ】各々が、図２Ｂに示すセル構造体の一部の拡大図である。
【００１５】
【図２Ｅ】いくつかの実装形態による閉塞物回収装置のセル構造体の寸法特性を示す。
【００１６】
【図３Ａ】別の実装形態による閉塞物回収装置の斜視図である。
【００１７】
【図３Ｂ】本装置がその長手方向軸に平行な線に沿って切断されかつ表面上に平坦に置かれた場合の、図３Ａの閉塞物回収装置の図である。
【００１８】
【図４】放射線不透過性要素が分散している図２Ｂの閉塞物回収装置を示す。
【００１９】
【図５】放射線不透過性要素の一部をそこに受容する特徴を有する閉塞物回収装置のストラットの斜視図である。
【発明を実施するための形態】
【００２０】
図１は、１つの実装形態による閉塞物回収システム１０の斜視図を示す。回収システムは、複数のアンテナ１５を介して細長いワイヤ１６の遠位端１８に結合される近位端１４を有する、図２Ａおよび図３Ａに示されるものなどの円筒体を含む自己拡張回収装置１２を含む。複数のアンテナ１５の各々は、細長いワイヤ１６の遠位端１８に近位端で接続され、円筒体の近位端１４に遠位端で接続される。以下でより詳細に説明されるように、いくつかの実装形態によれば、円筒体の近位端は、円筒体の側面から近位に延びる単一のアンテナによって細長いワイヤの遠位端に連結される。
【００２１】
患者の神経血管構造における血管から塞栓を回収する例では、いくつかの実装形態によれば、使用中に、自己拡張回収装置は、送達カテーテル（図示せず）の遠位端部分に装着され、送達カテーテルと共に塞栓の部位に送達される。いくつかの実装形態によれば、送達カテーテルの遠位端部分は、塞栓にまたがって位置決めされ、次いで近位に引き出されて、回収装置を塞栓内に展開する。他の実装形態によれば、回収装置を担持する送達カテーテルの遠位端部分は、塞栓の遠位に位置決めされ、次いで、近位に引き出されて、塞栓の遠位の位置に回収装置を展開する。このような場合、塞栓は、回収装置１２を塞栓内で近位に退避させることによって捕捉される。これは、臨床医が患者の外側にある細長いワイヤ１４の近位端部分１７を引っ張ることによって達成される。
【００２２】
神経血管閉塞の例を保持して、塞栓が回収装置１２の内部で少なくとも部分的に捕捉されるとき、回収装置および送達カテーテルは、単独でまたは一緒に近位に引き出されて、患者からの閉塞物の除去を達成する。いくつかの実装形態によれば、回収装置１２は、除去プロセス中に送達カテーテルの管腔内に少なくとも部分的に引き出される。
【００２３】
いくつかの実装形態によれば、回収装置１２は約１０ミリメートル〜約１００ミリメートルの長さを有し、細長いワイヤ１４は約１５０センチメートル〜約２５０センチメートルの長さを有する。
【００２４】
以下により詳細に説明しているように、ある特定の身体の導管の解剖学的構造は、曲がりがぎっしり詰まった領域を有して、曲がりくねっている。多くの既存の回収装置の課題は、回収装置がこの曲がりくねった経路を通して操作されるにつれて、捕捉された閉塞物が回収装置と離脱する傾向があることである。本明細書に開示される回収装置は、閉塞物を捕捉し、ぎっしり詰まった曲がりを含む曲がりくねった経路を通して患者から閉塞物をより効果的に除去するその能力を高める特徴を含む。
【００２５】
図２Ａおよび図３Ａは、それぞれ例示的な回収装置２０および６０を示す。図２Ｂおよび図３Ｂはそれぞれ、回収装置がその長手方向軸に平行な線に沿って切断されかつ表面上に平坦に置かれた場合の回収装置２０および６０を示す。回収装置２０および６０の各々は、それぞれ、中央長手方向軸２２および６２を有する円筒体２１および６１を含む。円筒体２０および６０の各々は、それぞれ、その長手方向軸の周りに配設された複数の閉鎖セル構造体２４および６４からなる。図２Ａおよび図３Ａは、例えば、ニッケル−チタン合金で作られた金属円筒管のレーザ切断により典型的にもたらされる切断構成の検出装置を表す。しかしながら、他の製造方法を使用して、本明細書に開示されている回収装置を構築してもよいことに留意することが重要である。
【００２６】
図２Ａおよび２Ｂの例では、回収装置２０は、１２個の斜め方向列のセル構造体Ｒ１〜Ｒ１２を含み、列Ｒ３〜Ｒ１１間に延在する中央本体部分２５を有する。いくつかの実装形態によれば、中央本体部分２５を形成するセル構造体は、実質的に同じ大きさおよび形状である。いくつかの実装形態によれば、中央本体部分２５におけるセル構造体の各列は、円筒体２１の長手方向軸２２を一緒に囲む４つのセル構造体を含む。
【００２７】
図３Ａおよび図３Ｂの例では、回収装置６０は、セル構造体の８つの斜め方向列Ｒ１〜Ｒ８を含み、Ｒ２〜Ｒ７間に延在する中央本体部分６５を有する。いくつかの実装形態によれば、中央本体部分６５を形成するセル構造体は、実質的に同じ大きさおよび形状である。いくつかの実装形態によれば、中央本体部分６５におけるセル構造体の各列は、円筒体６１の長手方向軸６２を一緒に囲む３つのセル構造体を含む。
【００２８】
セル構造体の８個未満の列、セル構造体の１２個以上の列、および所与の列における４つ以上のセル構造体を有する回収装置も企図される。
【００２９】
図１の議論において上記で説明しているように、回収装置１２の円筒体部分は、円筒体の近位端１４から近位に延在する１つ以上のアンテナ１５の使用を介して、細長いワイヤ１６の遠位端に連結される。
【００３０】
図２Ａおよび図２Ｂの実装形態では、回収装置２０は、図２Ａに示すように、直線状であり、切断様構成において円筒体２１の長手方向軸２２に平行に配置された３つのアンテナ２８ａ、２８ｂおよび２８ｃを含む。回収装置２０が形成および研磨された後、アンテナ２８ａ〜ｃの最近位端に位置する可能性のあるタブまたはループ２９ａ〜ｃは除去される。次いで、アンテナ２８ａ〜ｃは、図１の説明に関連して上記に開示しているように、細長い部材１６の遠位端に接続される。すなわち、アンテナ２８ａ〜ｃの近位端は、細長いワイヤ１６の遠位端１８に取り付けられる共通領域に収束する。その収束によって、アンテナ２８ａ〜ｃは、部分的に閉鎖された近位端を回収装置２０が有するようにする。他の実装形態によれば、回収装置２０は単一のアンテナを含む。例えば、いくつかの実装形態によれば、回収装置２０は、回収装置の近位端が全開であるように、円筒体６１の側面から延在する単一のアンテナを含む。
【００３１】
図３Ａおよび図３Ｂの実装形態では、回収装置６０は、直線状であり、切断様構成において円筒体６１の長手方向軸６２に平行に配置された２つのアンテナ６８ａおよび６８ｂを含む。回収装置６０が切断および研磨された後、タブ６９ａおよびｂを含んでもよいアンテナ６８ａ〜ｂの近位端は、図１の説明に関連して上記に開示されているような細長い部材１  ６の遠位端に接続される。すなわち、アンテナ６８ａ〜ｃの近位端は、細長いワイヤ１  ６の遠位端１８に取り付けられる共通領域に収束する。その収束によって、アンテナ２８ａおよびｂは、部分的に閉鎖された近位端を回収装置２０が有するようにする。他の実装形態によれば、回収装置６０は３つ以上のアンテナを含む。例えば、いくつかの実装形態によれば、回収装置６０は、回収装置の近位端が全開であるように、円筒体の側面から延在する単一のアンテナを含む。
【００３２】
図２Ａおよび３Ａの実装形態において、回収装置２０および６０の遠位端は各々、開放遠位端２６および６６をそれぞれ含む。他の実装形態によれば、回収装置の遠位端は、例えば、装置の最遠位端セグメント２７および６７を接合することによって部分的に閉鎖されてもよい。図２Ａおよび３Ａの例では、いくつかの実装形態によれば、最遠位端セグメント２７および６７は、放射線不透過性要素マーカが貼付されてもよい特徴を含む。
【００３３】
いくつかの実装形態によれば、回収装置２０の円筒体２１は、約３０ミリメートルの長さおよび約５ミリメートルの拡張外径を有する。いくつかの実装形態によれば、回収装置６０の円筒体は、約２０ミリメートルの長さと、約３ミリメートルの拡張外径を有する。
【００３４】
本明細書に開示しているものと同様のステント状回収装置における閉塞物（例えば、塞栓）の捕捉に関して、同様の（例えば、同じ大きさおよび形状の）セル構造体の長手方向位置および円周方向位置が繰り返される頻度の結果として、閉塞物の捕捉の有効性が、現在の最先端の回収装置において損なわれる。この課題に対処するために、いくつかの実装形態によれば、同じ円周方向位置を占める回収装置２０および６０における同様のセル構造体は、２つ以上の斜め方向列だけ離間されている。図２Ｂおよび図３Ｂに示す実装形態では、同じ円周方向位置を占める同様のセル構造体は、４つ以上の斜め方向列だけ離間されている。これらの構成の利点は、閉塞物を捕捉するその能力を高めるその長さに沿った回収装置の構造体においてより大きな不規則さの程度を終了させることである。これは、閉塞物が回収装置の長さに沿ってより多くの異なる幾何学的形状に曝露された結果であり、すべりを低減し、閉塞物の回収装置への組み込みを改善する。
【００３５】
図２Ｂを参照すると、同様のセル構造体Ａ１およびＡ２は、円筒体２１の中央本体部分２５における同じ円周方向位置を占め、セル構造体Ａ１は斜め方向列Ｒ４にあり、セル構造体Ａ２は斜め方向列Ｒ９にあり、セル構造体Ａ１およびＡ２を離間させる４つの介在列Ｒ５〜Ｒ８が存在する。同様に、同様のセル構造体Ｂ１およびＢ２は、円筒体２１の中央本体部分２５における同じ円周方向位置を占め、セル構造体Ｂ１は斜め方向列Ｒ６にあり、セル構造体Ｂ２は斜め方向列Ｒ１１にあり、セル構造体Ｂ１およびＢ２を離間させる４つの介在列Ｒ７〜Ｒ１０が存在する。さらに、同様のセル構造体Ｃ１およびＣ２は、円筒体２１の中央本体部分２５における同じ円周方向位置を占め、セル構造体Ｃ１は斜め方向列Ｒ３にあり、セル構造体Ｃ２は斜め方向列Ｒ８にあり、セル構造体Ｃ１およびＣ２を離間させる４つの介在列Ｒ４〜Ｒ７が存在する。他の実装形態によれば、同じ円周方向位置を占める同様のセル構造体は、セル構造体の３つ以上の介在する斜め方向列だけ離間される。
【００３６】
図３Ｂを参照すると、セル構造体Ａ１およびＡ２は、円筒体６１の中央本体部分６５における同じ円周方向位置を占め、セル構造体Ａ１は斜め方向列Ｒ２にあり、セル構造体Ａ２は斜め方向列Ｒ７にあり、セル構造体Ａ１およびＡ２を離間させる４つの介在列Ｒ３〜Ｒ６が存在する。同様に、同様のセル構造体Ｂ１およびＢ２は、円筒体６１の中央本体部分６５における同じ円周方向位置を占め、セル構造体Ｂ１は斜め方向列Ｒ３にあり、セル構造体Ｂ２は斜め方向列Ｒ８にあり、セル構造体Ｂ１およびＢ２を離間させる４つの介在列Ｒ４〜Ｒ７が存在する。他の実装形態によれば、同じ円周方向位置を占める同様のセル構造体は、セル構造体の３つ以上の介在する斜め方向列だけ離間される。
【００３７】
図２Ｃは、セル構造体Ａ１が列Ｒ４にある、回収装置２０の中央本体部分２５内に位置する列Ｒ３〜Ｒ５の拡大図である。セル構造体Ａ１の構成は、回収装置２０内のセル構造体の少なくとも大部分を表す。セル構造体Ａ１は、第１のストラット１、第２のストラット２、第３のストラット３、第４のストラット４、第５のストラット５および第６のストラット６を含み、第１、第２、第３、第４、第５および第６のストラットの各々は近位端および遠位端を有する。第１のストラット１の近位端は、第１の長手方向位置Ｌ１において第２のストラット２の近位端に連結され、第３のストラット３の遠位端は、第１の長手方向位置Ｌ１に対して遠位の第２の長手方向位置Ｌ２において第４のストラット４の遠位端に連結され、第１のストラット１の遠位端は、第１の長手方向位置Ｌ１と第２の長手方向位置Ｌ２との間に位置する第３の長手方向位置Ｌ３において第５のストラット５の近位端に連結され、第３のストラット３の近位端は、第２の長手方向位置Ｌ２と第３の長手方向位置Ｌ３との間に位置する第４の長手方向位置Ｌ４において第５のストラット５の遠位端に連結され、第２のストラット２の遠位端は、第２の長手方向位置Ｌ２と第３の長手方向位置Ｌ３との間に位置する第５の長手方向位置Ｌ５において第６のストラット６の近位端に連結され、第４のストラット４の近位端は、第２の長手方向位置Ｌ２と第５の長手方向位置Ｌ５との間に位置する第６の長手方向位置Ｌ６において第６のストラット６の遠位端に連結される。
【００３８】
図２Ｂおよび図３Ｂに最もよく見られるように、回収装置２０および６０における複数のセル構造体のうち、隣接するセル構造体は、第１、第２、第３、第４、第５および第６のストラットのうちの少なくとも１つを互いに共有し、隣接するセル構造体は、互いに長手方向および円周方向にオフセットされる。
【００３９】
図２Ｃの実装形態では、回収装置２０の円筒体２１が長手方向に切断されかつ表面上に平坦に置かれたとき、第３および第４の長手方向位置Ｌ３およびＬ４は互いに長手方向に整列され（すなわち、長手方向位置Ｌ３とＬ４との間に描かれる直線は、円筒体２１の長手方向軸２２に平行であり）、共通の第１の円周方向位置にあり、第５および第６の長手方向位置Ｌ５およびＬ６は互いに長手方向に整列され（すなわち、長手方向位置Ｌ５とＬ６との間に描かれている直線は、円筒体２１の長手方向軸２２に平行であり）、共通の第２の円周方向位置にあり、第２の円周方向位置は、第１の円周方向位置から離間される。
【００４０】
いくつかの実装形態によれば、回収装置２０の円筒体２１が長手方向に切断されかつ表面上に平坦に置かれたとき、第５のストラット５および第６のストラット６のうちの少なくとも１つは直線状である。他の実装形態によれば、第５のストラット５および第６のストラット６の各々は、図２Ｃに示すように、直線状である。第５および第６のストラットのうちの１つまたは両方が直線状である利点は、それが、ストラットが曲線状である場合に存在するその長さに沿ってより大きな剛性を有する回収装置２０を有利に付与することである。
【００４１】
いくつかの実装形態によれば、第４の長手方向位置Ｌ４および第５の長手方向位置Ｌ５は、図２Ｃに示されているように、互いに円周方向に整列されない。他の実装形態によれば、第４の長手方向位置Ｌ４および第５の長手方向位置Ｌ５は互いに円周方向に整列される。第４および第５の長手方向位置の円周方向の整列は、第５のストラット５の遠位端を第６のストラット６の近位端と円周方向に整列させて、セル構造体Ａ１内に長手方向に連続した直線状区間を生成し、円周方向にオフセットされているにも拘わらず、これは、回収装置に高められた剛性のゾーンを提供するのを援助する。
【００４２】
上記のように、曲がりくねった経路を通して捕捉された閉塞物を患者から除去することに関連する問題は、閉塞物を運ぶ回収装置がぎっしり詰まった曲がりに遭遇して適合するとき、閉塞物が、少なくとも部分的に回収装置から外れ易いことである。高められた長手方向の剛性を有する回収装置を提供する利点は、回収装置が閉塞物除去プロセス中にそれが通過する曲がりを少なくとも部分的に直線化することを可能にすることである。これにより、曲がりをまたいで運ばれるため、閉塞物が回収装置から外れる危険性を低減する。
【００４３】
回収装置内に高められた長手方向の剛性のゾーンを提供する別の利点は、回収装置が送達カテーテルを通しておよび／または患者の身体の導管を通して押されることを必要とする手順において、回収装置が屈曲する危険性を低減することである。
【００４４】
いくつかの実装形態によれば、図２Ｄに示すように、装置が長手方向に切断されかつ表面上に平坦に置かれたとき、第１のストラット１、第２のストラット２、第３のストラット３、および第４のストラット４のうちの１つ以上または全てが、曲線状近位端部分、曲線状遠位端部分、および曲線状近位端部分と曲線状遠位端部分との間に位置する直線状部分を有する。いくつかの実装形態によれば、直線状部分はストラットの中央部分に位置する。ストラット１〜４の曲線状近位端部分および遠位端部分１ａ、１ｂ、２ａ、２ｂ、３ａ、３ｂ、４ａ、４ｂは、セル構造体の接続されたストラット間の円滑な遷移を提供することに寄与し、また、回収装置２０に必要な程度の柔軟性を提供して、それが患者の解剖学的構造内を移動することを可能にする。ストラット１〜４の直線状部分１ｃ、２ｃ、３ｃ、４ｃは、回収装置２０の長手方向の剛性を高めて、回収装置に、閉塞物除去プロセス中にそれが通過する曲がりを少なくとも部分的に直線化する能力を提供する。上記で説明しているように、それはぎっしり詰まった曲がりをまたいで運ばれるため、回収装置から閉塞物が外される危険性を低減する。中間部分が直線状である別の利点は、回収装置が送達カテーテルを通しておよび／または患者の身体の導管を通して押されることを必要とする手順において、回収装置が屈曲する危険性を低減する（完全に曲線状のストラットと比較して）ことである。
【００４５】
いくつかの実装形態によれば、ストラット１〜４の１つ以上または全てが、それぞれのストラットの全長の２０％〜８０％を累積的に占める１つ以上の直線状部分を含む。他の実装形態によれば、ストラット１〜４の１つ以上または全てが、それぞれのストラットの全長の３０％〜７０％を累積的に占める１つ以上の直線状部分を含む。いくつかの実装形態によれば、ストラット１〜４の１つ以上または全てが、それぞれのストラットの全長の２０％〜８０％を占める単一の連続的な直線状部分を含む。他の実装形態によれば、ストラット１〜４の１つ以上または全てが、それぞれのストラットの全長の３０％〜７０％を占める単一の連続的な直線状部分を含む。
【００４６】
上記のように、いくつかの実装形態によれば、回収装置２０の円筒体２１は、約３０ミリメートルの長さおよび約５ミリメートルの拡張外径を有する。図２Ｅを参照すると、いくつかの実装形態によれば、回収装置２０の中央本体部分２５におけるセル構造体は、約４．３ミリメートル〜約４．６ミリメートルのセル高さＨ、約４．６ミリメートル〜約４．８ミリメートルのセル長さＬ１、約０．７ミリメートル〜約０．８ミリメートルの円周方向オフセットＣＯ、約０．７ミリメートル〜約０．９ミリメートルの長手方向オフセットＬＯ、約０．０７ミリメートル〜約０．０８ミリメートルのストラット幅Ｗを有し、ストラット５および６は約０．９ミリメートル〜約１．０ミリメートルの長さＬ２を有する。
【００４７】
いくつかの実装形態によれば、回収装置６０の円筒体６１は、約２０ミリメートルの長さおよび約３ミリメートルの拡張外径を有する。図２Ｅを参照すると、いくつかの実装形態によれば、回収装置６０の中央本体部分６５におけるセル構造体は、約３．７ミリメートル〜約３．９５ミリメートルのセル高さＨ、約４．９ミリメートル〜約５．５ミリメートルのセル長さＬ１、約０．７ミリメートル〜約０．８ミリメートルの円周方向オフセットＣＯ、約１．１５ミリメートル〜約１．２５ミリメートルの長手方向オフセットＬＯ、約０．０７ミリメートル〜約０．０８ミリメートルのストラット幅Ｗを有し、ストラット５および６は約０．９ミリメートル〜約１．０ミリメートルの長さＬ２を有する。
【００４８】
上記のように、回収装置２０および６０は、それぞれ円筒体２１および６１の近位端から近位に延びる１つ以上のアンテナによって、細長いワイヤ１６の遠位端に連結されてもよい。回収装置２０および６０の切断様構成におけるいくつかの実装形態によれば、１つ以上のアンテナは、図２Ａ、２Ｂ、３Ａおよび３Ｂに示すように、直線状であり、かつ円筒体の長手方向軸に平行に整列され、アンテナのうちの少なくとも１つは、第５のストラット５のうちの少なくとも１つの近位端および遠位端と、ならびに／または第６のストラット６のうちの少なくとも１つの近位端および遠位端と長手方向に整列される。すなわち、第５および第６のストラットのうちの少なくとも１つの直線状アンテナ間ならびに近位端および遠位端にまたがって延びる線は、直線状であり、回収装置の円筒体の長手方向軸に平行に配設される。例えば、図２Ｂに示すように、アンテナ２８ａおよび２８ｂの各々は、回収装置２０の中央本体部分２５にあるするセル構造体の第５および第６のストラットのうちの少なくとも１つと長手方向に整列される。このような構成の利点は、細長いワイヤ１６によって押されるときに回収装置が屈曲する危険性を低減することである。
【００４９】
治療を行う臨床医は、閉塞物除去手順中に回収装置を視認可能にして、装置が展開される前に適切に設置されていることを保証することがときには重要である。このため、いくつかの実装形態によれば、回収装置２０は、図４に示すように、円筒体２１の長さのかなりの部分に沿って好適に延在するパターンにおける円筒体２１の内側と外側との間を蛇行する放射線不透過性ワイヤまたはリボン３５を備える。いくつかの実装形態によれば、回収装置のストラットのうちの少なくとも一部は、図５に示すように、回収装置２０の円筒体２１を通って蛇行するために、放射線不透過性ワイヤまたはリボン３５がその中を通過する保持特徴３６を含む。いくつかの実装形態によれば、保持特徴３６は、回収装置のストラットを構築するために用いられるレーザ切断動作中に形成される。上記のように、いくつかの実装形態によれば、回収装置は、円筒状金属管をレーザ切断して装置のストラットを形成するように構成されている。図５の実装形態では、保持特徴３６は、ストラット上に組み立てられるときに放射線不透過性ワイヤまたはリボン３５が通過する隙間３８によって離間された２つのＬ字状部材３７を含む。
【００５０】
いくつかの実装形態によれば、放射線不透過性ワイヤまたはリボン３５は、回収装置が完全に拡張された状態にあるときに回収装置に組み立てられ、したがって、その使用中に回収装置の外側半径方向力に影響を与えない。さらに、他の実装形態によれば、放射線不透過性ワイヤまたはリボン３５は、回収装置の屈曲剛性に影響を与えないように、回収装置に組み立てられる。
【００５１】
上記の開示は多くの具体的内容を含むが、これらは、特許請求されるものまたは特許請求され得るものの範囲に対する制限として解釈されるべきではなく、特定の例示的な実装形態に特有の特徴についての説明として解釈されるべきである。別々の実装形態について文脈において本明細書に記載している特定の特徴は、単一の実装形態における組み合わせでも実施し得る。対照的に、単一の実装形態についての文脈に記載している様々な特徴も、別々にまたはいずれかの適切な複数の実装形態で、または任意の好適な部分組み合わせで実施し得る。さらに、特徴は、特定の組み合わせとして機能し、かつ最初に特許請求されるものとして上記に記載され得るが、特許請求される組み合わせからの１つ以上の特徴は、いくつかの場合、組み合わせから削除され得、特許請求される組み合わせは、部分組み合わせまたは部分組み合わせの変形を対象とし得る。記載している実施例および実装形態ならびに他の実装形態への変形、修正および改良は、開示しているものに基づいて行われてもよい。
【００５２】
以下の条項は、各条項が実装形態を表す、追加の実装形態を無制限に開示するものである。さらなる実装形態は、別のグループまたは条項のグループの１つ以上の実装形態を有する１つ以上の条項のグループの実装形態のうちの１つ以上によって表される。グループＡ〜Ｃの条項を提供する。
【００５３】
グループＡ条項
【００５４】
条項１．患者の身体の導管内の閉塞物を捕捉および除去する装置であって、前記装置が、
円周および長手方向軸を有し、長手方向軸の周囲に配設された複数の斜め方向列に配置された複数の閉鎖セル構造体を含む円筒体であって、複数の閉鎖セル構造体のうちの少なくとも一部が実質的に同じ形状および大きさであり、実質的に同じ形状および大きさの閉鎖セル構造体の少なくとも一部が、円筒体内の同じ円周方向位置を占め、かつ閉鎖セル構造体の２つ以上の斜め方向列だけ互いに長手方向に離間された、円筒体を含む、装置。
【００５５】
条項２．同じ円周方向位置を占める複数の閉鎖セル構造体が、閉鎖セル構造体の３つ以上の斜め方向列だけ長手方向に離間される、条項１に記載の装置。
【００５６】
条項３．複数の閉鎖セル構造体が同じ円周方向位置を占め、閉鎖セル構造体の４つ以上の斜め方向列だけ長手方向に離間される、条項１に記載の装置。
【００５７】
条項４．複数のセル構造体が各々、第１、第２、第３、第４、第５および第６のストラットを含み、第１、第２、第３、第４、第５および第６のストラットの各々が近位端および遠位端を有し、第１のストラットの近位端が、第２のストラットの近位端に連結され、第３のストラットの遠位端が、第４のストラットの遠位端に連結され、第１のストラットの遠位端が、第５のストラットの近位端に連結され、第３のストラットの近位端が、第５のストラットの遠位端に連結され、第２のストラットの遠位端が、第６のストラットの近位端に連結され、第４のストラットの近位端が、第６のストラットの遠位端に連結される、条項１に記載の装置。
【００５８】
条項５．第５のストラットの近位端および遠位端が互いに長手方向に整列され、かつ第１の円周方向位置にあり、第６のストラットの近位端および遠位端が互いに長手方向に整列され、かつ第２の円周方向位置にあり、第２の円周方向位置が、第１の円周方向位置から離間される、条項４に記載の装置。
【００５９】
条項６．装置が長手方向に切断されかつ表面上に平坦に置かれたとき、第５および第６のストラットのうちの少なくとも１つが直線状である、条項５に記載の装置。
【００６０】
条項７．装置が長手方向に切断されかつ表面上に平坦に置かれたとき、第５および第６のストラットの各々は直線状である、条項５に記載の装置。
【００６１】
条項８．第１のストラットの近位端が、第１の長手方向位置で第２のストラットの近位端に連結され、第３のストラットの遠位端が、第１の長手方向位置に対して遠位の第２の長手方向位置で前記第４のストラットの遠位端に連結され、第１のストラットの遠位端が、第３の長手方向位置で第５のストラットの近位端に連結され、第３のストラットの近位端が、第４の長手方向位置で第５のストラットの遠位端に連結され、第２のストラットの遠位端が、第５の長手方向位置で第６のストラットの近位端に連結され、第４のストラットの近位端が、第６の長手方向位置で第６のストラットの遠位端に連結される、条項５に記載の装置。
【００６２】
条項９．第４の長手方向位置および第５の長手方向位置が円周方向に整列されている、条項８に記載の装置。
【００６３】
条項１０．遠位端および遠位端を有する第１のアンテナをさらに含み、円筒体が第１のアンテナの装置の遠位端に連結され、装置が長手方向に切断されかつ表面上に平坦に置かれたとき、第１のアンテナの少なくとも一部が直線状であり、少なくとも一部が、第５のストラットのうちの少なくとも１つの近位端および遠位端と、ならびに／または第６のストラットのうちの少なくとも１つの近位端および遠位端と長手方向に整列されている、条項５に記載の装置。
【００６４】
条項１１．近位端および遠位端を有する第１のアンテナをさらに含み、円筒体が第１のアンテナの遠位端に連結され、装置が長手方向に切断されかつ表面上に平坦に置かれたとき、第１のアンテナの少なくとも一部が直線状であり、少なくとも一部が、第５のストラットのうちの少なくとも１つおよび／または第６のストラットのうちの少なくとも１つと長手方向に整列されている、条項７に記載の装置。
【００６５】
条項１２．近位端および遠位端を有する第２のアンテナをさらに含み、装置が長手方向に切断されかつ表面上に平坦に置かれたとき、第２のアンテナの少なくとも一部が直線状であり、第２のアンテナの少なくとも一部が、第５のストラットの少なくとも１つの近位端および遠位端と、ならびに／または第６のストラットの少なくとも１つの近位端および遠位端と長手方向に整列されている、条項１０に記載の装置。
【００６６】
条項１３．近位端および遠位端を有する第２のアンテナをさらに含み、装置が長手方向に切断されかつ表面上に平坦に置かれたとき、第２のアンテナの少なくとも一部が直線状であり、少なくとも一部が、第５のストラットの少なくとも１つまたは第６のストラットの少なくとも１つと長手方向に整列されている、条項１０に記載の装置。
【００６７】
条項１４．円筒体が開放遠位端を有する、条項１に記載の装置。
【００６８】
条項１５．近位端および遠位端を有する細長いワイヤをさらに含み、第１のアンテナの近位端が細長いワイヤの遠位端に連結される、条項１０に記載の装置。
【００６９】
条項１６．近位端および遠位端を有する細長いワイヤをさらに含み、第１のアンテナの近位端が細長いワイヤの遠位端に連結される、条項１１に記載の装置。
【００７０】
条項１７．装置が長手方向に切断されかつ表面上に平坦に置かれたとき、第１、第２、第３および第４のストラットの各々の少なくとも一部が曲線状である、条項５に記載の装置。
【００７１】
条項１８．装置が長手方向に切断されかつ表面上に平坦に置かれたとき、第１、第２、第３および第４のストラットの各々の少なくとも一部が直線状である、条項１７に記載の装置。
【００７２】
条項１９．第１、第２、第３および第４のストラットの各々が、近位端部分、遠位端部分および中間部分を有し、中間部分が近位端部分と遠位端部分との間に位置し、装置が長手方向に切断されかつ表面上に平坦に置かれたとき、第１の端部分および第２の端部分が曲線状であり、かつ中間部分が直線状である、条項５に記載の装置。
【００７３】
条項２０．複数のセル構造体のうち、隣接するセル構造体が、第１、第２、第３、第４、第５または第６のストラットのうちの少なくとも１つを互いに共有し、隣接するセル構造体が、互いに長手方向および円周方向にオフセットされる、条項４に記載の装置。
【００７４】
条項２１．第２のアンテナおよび第３のアンテナをさらに含み、第２および第３のアンテナの各々は近位端および遠位端を有し、第１、第２および第３のアンテナの遠位端の各々は、互いに異なる円周方向位置で円筒体に連結される、条項１０に記載の装置。
【００７５】
条項２２．第１、第２および第３のアンテナの各々の近位端に連結された細長いワイヤをさらに含む、条項２１に記載の装置。
【００７６】
条項２３．第１の長手方向位置および第２の長手方向位置が互いに長手方向に整列されない、条項８に記載の装置。
【００７７】
条項２４．第１、第２、第３および第４のストラットの各々が、近位端部分、遠位端部分および中間部分を有し、中間部分が近位端部分と遠位端部分との間に位置し、装置が長手方向に切断されかつ表面上に平坦に置かれたときに、第１および第２の端部分が曲線状であり、かつ中間部分が直線状であり、第１の長手方向位置および第２の長手方向位置が互いに長手方向に整列されていない、条項２３に記載の装置。
【００７８】
条項２５．第１、第２、第３および第４のストラットのうちの１つ以上または全ての中間部分が、それぞれのストラットの全長の２０％〜８０％を占める、条項１９に記載の装置。
【００７９】
条項２６．第１、第２、第３および第４のストラットのうちの１つ以上または全ての中間部分が、それぞれのストラットの全長の３０％〜７０％を占める、条項１９に記載の装置。
【００８０】
Ｂグループ条項
【００８１】
条項１．患者の身体の導管内の閉塞物を捕捉する装置であって、装置が、
円周と長手方向軸とを有し、長手方向軸の周りに斜め方向列に配置された同じ大きさおよび形状の複数のセル構造体を含む、円筒体であって、複数のセル構造体が各々、第１、第２、第３、第４、第５および第６のストラットを含み、第１、第２、第３、第４、第５および第６のストラットの各々が近位端と遠位端とを有する、円筒体を含み、
第１のストラットの近位端が第２のストラットの近位端に連結され、第３のストラットの遠位端が第４のストラットの遠位端に連結され、第１のストラットの遠位端が第５のストラットの近位端に連結され、第３のストラットの近位端が第５のストラットの遠位端に連結され、第２のストラットの遠位端が第６のストラットの近位端に連結され、第４のストラットの近位端が第６のストラットの遠位端に連結され、第５のストラットの近位端および遠位端が、互いに長手方向に整列され、かつ第１の円周位置にあり、第６のストラットの近位端および遠位端が、互いに長手方向に整列され、かつ第２の円周位置にあり、第２の円周方向位置が、第１の円周方向位置から離間され、装置が長手方向に切断されかつ表面上に平坦に置かれたとき、第１、第２、第３および第４のストラットの各々の少なくとも第１の部分は曲線状であり、かつ第１、第２、第３および第４のストラットの各々の少なくとも第２の部分が直線状である、装置。
【００８２】
条項２．第１、第２、第３および第４のストラットの各々が、近位端部分、遠位端部分および中間部分を有し、中間部分が近位端部分と遠位端部分との間に位置し、装置が長手方向に切断されかつ表面上に平坦に置かれたとき、中間部分が直線状であり、かつ第１および第２の端部分が曲線状である、条項１に記載の装置。
【００８３】
条項３．装置が長手方向に切断されかつ表面上に平坦に置かれたとき、第１および第６のストラットのうちの少なくとも１つが直線状である、条項１に記載の装置。
【００８４】
条項４．装置が長手方向に切断されかつ表面上に平坦に置かれたとき、第１および第６のストラットの各々が直線状である、条項１に記載の装置。
【００８５】
条項５．装置が長手方向に切断されかつ表面上に平坦に置かれたとき、第５および第６のストラットのうちの少なくとも１つが直線状である、条項２に記載の装置。
【００８６】
条項６．装置が長手方向に切断されかつ表面上に平坦に置かれたとき、第５および第６のストラットの各々が直線状である、条項２に記載の装置。
【００８７】
条項７．複数のセル構造体のうちの第１のセル構造体が、複数のセル構造体のうちの第２のセル構造体と長手方向に整列され、長手方向軸に平行に走り、かつ第１および第２のセル構造体の第５のストラットまたは第６のストラットを接合する仮想長手方向直線が、少なくとも２つの介在セル構造体と交差する、条項１に記載の装置。
【００８８】
条項８．複数のセル構造体のうちの第１のセル構造体が、複数のセル構造体のうちの第２のセル構造体と長手方向に整列され、長手方向軸に平行に走り、かつ第１および第２のセル構造体の第５のストラットまたは第６のストラットを接合する仮想長手方向直線が、少なくとも３つの介在セル構造体と交差する、条項１に記載の装置。
【００８９】
条項９．複数のセル構造体のうちの第１のセル構造体が、複数のセル構造体のうちの第２のセル構造体と長手方向に整列され、長手方向軸に平行に走り、かつ第１および第２のセル構造体の第５のストラットまたは第６のストラットを接合する仮想長手方向直線が、少なくとも２つの介在セル構造体と交差する、条項１に記載の装置。
【００９０】
条項１０．複数のセル構造体のうちの第１のセル構造体が、複数のセル構造体のうちの第２のセル構造体と長手方向に整列され、長手方向軸に平行に走り、かつ第１および第２のセル構造体の第５のストラットまたは第６のストラットを接合する仮想長手方向直線が、少なくとも３つの介在セル構造体と交差する、条項１に記載の装置。
【００９１】
条項１１．複数のセル構造体のうちの第１のセル構造体が、複数のセル構造体のうちの第２のセル構造体と長手方向に整列され、長手方向軸に平行に走り、かつ第１および第２のセル構造体の第５のストラットまたは第６のストラットを接合する仮想長手方向直線が、少なくとも４つの介在セル構造体と交差する、条項１に記載の装置。
【００９２】
条項１２．複数のセル構造体のうちの少なくとも一部が、同じ円周位置を占め、かつ２つ以上の斜め方向列だけ長手方向に離間されている、条項１に記載の装置。
【００９３】
条項１３．複数のセル構造体のうちの少なくとも一部が同じ円周位置を占め、かつ３つ以上の斜め方向列だけ長手方向に離間されている、条項１に記載の装置。
【００９４】
条項１４．複数のセル構造体のうちの少なくとも一部が同じ円周位置を占め、かつ４つ以上の斜め方向列だけ長手方向に離間されている、条項１に記載の装置。
【００９５】
条項１５．第５のストラットの遠位端および第６のストラットの近位端が円周方向に整列されている、条項１に記載の装置。
【００９６】
条項１６．第１のストラットの近位端が、第１の長手方向位置で第２のストラットの近位端に連結され、第３のストラットの遠位端が、第１の長手方向位置に対して遠位の第２の長手方向位置で第４のストラットの遠位端に連結され、第１のストラットの遠位端が、第３の長手方向位置で第５のストラットの近位端に連結され、第３のストラットの近位端が、第４の長手方向位置で第５のストラットの遠位端に連結され、第２のストラットの遠位端が、第５の長手方向位置で第６のストラットの近位端に連結され、第４のストラットの近位端が、第６の長手方向で第６のストラットの遠位端に連結される、条項１に記載の装置。
【００９７】
条項１７．第４の長手方向位置および第５の長手方向位置が円周方向に整列されている、条項１６に記載の装置。
【００９８】
条項１８．第１の長手方向位置および第２の長手方向位置が長手方向に整列されていない、条項１６に記載の装置。
【００９９】
条項１９．近位端および遠位端を有する第１のアンテナをさらに含み、円筒体が第１のアンテナの装置の遠位端に連結され、装置が長手方向に切断されかつ表面上に平坦に置かれたとき、第１のアンテナの少なくとも一部が直線状であり、少なくとも一部が、第５のストラットの少なくとも１つの近位端および遠位端と、ならびに／または第６のストラットの少なくとも１つの近位端および遠位端と長手方向に整列されている、条項１に記載の装置。
【０１００】
条項２０．装置が長手方向に切断されかつ表面上に平坦に置かれたとき、第５および第６のストラットのうちの少なくとも１つが直線状である、条項１９に記載の装置。
【０１０１】
条項２１．装置が長手方向に切断されかつ表面上に平坦に置かれたとき、第５および第６のストラットの各々が直線状である、条項１９に記載の装置。
【０１０２】
条項２２．近位端と遠位端とを有する第２のアンテナをさらに含み、前記第２のアンテナが、装置が長手方向に切断されかつ表面上に平坦に置かれたとき、第２のアンテナの少なくとも一部が直線状であり、第２のアンテナの少なくとも一部が、第５のストラットの少なくとも１つの近位端および遠位端と、および／または第６のストラットの少なくとも１つの近位端および遠位端と長手方向に整列されている、条項１９に記載の装置。
【０１０３】
条項２３．円筒体が開放遠位端を有する、条項１に記載の装置。
【０１０４】
条項２４．近位端および遠位端を有する細長いワイヤをさらに含み、第１のアンテナの近位端が細長いワイヤの遠位端に連結される、条項１９に記載の装置。
【０１０５】
条項２５．近位端および遠位端を有する細長いワイヤをさらに含み、第１のアンテナおよび第２のアンテナの各々の近位端が細長いワイヤの遠位端に連結される、条項２２に記載の装置。
【０１０６】
条項２６．複数のセル構造体のうち、隣接するセル構造体が、第１、第２、第３、第４、第５または第６のストラットのうちの少なくとも１つを互いに共有し、隣接するセル構造体が、互いに長手方向および円周方向にオフセットされる、条項１に記載の装置。
【０１０７】
条項２７．第２のアンテナおよび第３のアンテナをさらに含み、第２のアンテナおよび第３のアンテナの各々が近位端および遠位端を有し、第１、第２および第３のアンテナの遠位端の各々が、互いに異なる円周方向位置で円筒体に連結される、条項１９に記載の装置。
【０１０８】
条項２８．第１、第２および第３のアンテナの各々の近位端に連結された細長いワイヤをさらに含む、条項２７に記載の装置。
【０１０９】
条項２９．第１、第２、第３および第４のストラットのうちの１つ以上または全ての第１の部分が、それぞれのストラットの全長の２０％〜８０％を占める、条項１に記載の装置。
【０１１０】
条項３０．第１、第２、第３および第４のストラットのうちの１つ以上または全ての第１の部分が、それぞれのストラットの全長の３０％〜７０％を占める、条項１に記載の装置。
【０１１１】
条項３１．第１、第２、第３および第４のストラットのうちの１つ以上または全ての中間部分が、それぞれのストラットの全長の２０％〜８０％を占める、条項２に記載の装置。
【０１１２】
条項３２．第１、第２、第３および第４のストラットのうちの１つ以上または全ての中間部分が、それぞれのストラットの全長の３０％〜７０％を占める、条項２に記載の装置。
【０１１３】
グループＣの条項
【０１１４】
条項１．患者の身体の導管内の閉塞物を捕捉する装置であって、装置が、
円周と長手方向軸とを有し、かつ長手方向軸の周りに配置された複数のセル構造体を含む円筒体であって、複数のセル構造体が各々、第１、第２、第３、第４、第５および第６のストラットを含み、第１、第２、第３、第４、第５および第６のストラットの各々が近位端と遠位端とを有する、円筒体を含み、
第１のストラットの近位端が、第１の長手方向位置で第２のストラットの近位端に連結され、第３のストラットの遠位端が、第１の長手方向位置に対して遠位の第２の長手方向位置で第４のストラットの遠位端に連結され、第１のストラットの遠位端が、第３の長手方向位置で第５のストラットの近位端に連結され、第３のストラットの近位端が、第４の長手方向位置で第５のストラットの遠位端に連結され、第２のストラットの遠位端が、第５の長手方向位置で第６のストラットの近位端に連結され、第４のストラットの近位端が、第６の長手方向位置で第６のストラットの遠位端に連結され、第３および第４の長手方向位置の各々が、互いに長手方向に整列され、かつ第１の円周方向位置にあり、第５および第６の長手方向位置の各々が、互いに長手方向に配列され、かつ第２の円周方向位置にあり、第２の円周方向位置が第１の円周方向位置か離間されている、装置。
【０１１５】
条項２．装置が長手方向に切断されかつ表面上に平坦に置かれたとき、第５および第６のストラットのうちの少なくとも１つが直線状であり、かつ長手方向軸に平行に配置される、条項１に記載の装置。
【０１１６】
条項３．装置が長手方向に切断されかつ表面上に平坦に置かれたとき、第５および第６のストラットの各々が直線状であり、かつ長手方向軸に平行に配置される、条項１に記載の装置。
【０１１７】
条項４．第４の長手方向位置および第５の長手方向位置が円周方向に整列されている、条項１に記載の装置。
【０１１８】
条項５．近位端と遠位端とを有する第１のアンテナをさらに含み、円筒体が第１のアンテナの遠位端と連結され、装置が長手方向に切断されかつ表面上に平坦に置かれたとき、第１のアンテナの少なくとも一部が直線状であり、第１のアンテナの少なくとも一部が、第５のストラットの少なくとも１つの近位端および遠位端と、および／または第６のストラットの少なくとも１つの近位端および遠位端と長手方向に整列される、条項１に記載の装置。
【０１１９】
条項６．近位端および遠位端を有する第１のアンテナをさらに含み、円筒体が第１のアンテナの遠位端に連結され、装置が長手方向に切断されかつ表面上に平坦に置かれたとき、第１のアンテナの少なくとも一部が直線状であり、少なくとも一部が、第５のストラットの少なくとも１つおよび／または第６のストラットの少なくとも１つと長手方向に整列されている、条項２に記載の装置。
【０１２０】
条項７．装置が長手方向に切断されかつ表面上に平坦に置かれたとき、第１のアンテナの少なくとも一部が直線状であり、少なくとも一部は、第５のストラットの少なくとも１つおよび／または第６のストラットの少なくとも１つと長手方向に整列されている、条項３に記載の装置。
【０１２１】
条項８．近位端および遠位端を有する第２のアンテナをさらに含み、装置が長手方向に切断されかつ表面上に平坦に置かれたとき、第２のアンテナの少なくとも一部が直線状であり、第２のアンテナの少なくとも一部が、第５のストラットの少なくとも１つの近位端および遠位端と、および／または第６のストラットの少なくとも１つの近位端および遠位端と長手方向に整列されている、条項５に記載の装置。
【０１２２】
条項９．近位端および遠位端を有する第２のアンテナをさらに含み、装置が長手方向に切断されかつ表面上に平坦に置かれたとき、第２のアンテナの少なくとも一部が直線状であり、少なくとも一部が、第５のストラットの少なくとも１つまたは第６のストラットの少なくとも１つと長手方向に整列されている、条項７に記載の装置。
【０１２３】
条項１０．円筒体が開放遠位端を有する、条項１に記載の装置。
【０１２４】
条項１１．近位端および遠位端を有する細長いワイヤをさらに含み、第１のアンテナの近位端が細長いワイヤの遠位端に連結される、条項５に記載の装置。
【０１２５】
条項１２．近位端および遠位端を有する細長いワイヤをさらに含み、第１のアンテナの近位端が細長いワイヤの遠位端に連結される、条項５に記載の装置。
【０１２６】
条項１３．近位端および遠位端を有する細長いワイヤをさらに含み、第１のアンテナおよび第２のアンテナの各々の近位端が細長いワイヤの遠位端に連結される、条項８に記載の装置。
【０１２７】
条項１４．装置が長手方向に切断されかつ表面上に平坦に置かれたとき、第１、第２、第３および第４のストラットの各々の少なくとも一部が曲線状である、条項１に記載の装置。
【０１２８】
条項１５．装置が長手方向に切断されかつ表面上に平坦に置かれたとき、第１、第２、第３および第４のストラットの各々の少なくとも一部が直線状である、条項１４に記載の装置。
【０１２９】
条項１６．第１、第２、第３および第４のストラットの各々が、近位端部分、遠位端部分および中間部分を有し、中間部分が近位端部分と遠位端部分との間に位置し、装置が長手方向に切断されかつ表面上に平坦に置かれたとき、第１の端部分および第２の端部分が曲線状であり、かつ中間部分が直線状である、条項１に記載の装置。
【０１３０】
条項１７．複数のセル構造体のうち、隣接するセル構造体が、第１、第２、第３、第４、第５または第６のストラットのうちの少なくとも１つを互いに共有し、隣接するセル構造体が、互いに長手方向および円周方向の両方にオフセットされる、条項１に記載の装置。
【０１３１】
条項１８．第２のアンテナおよび第３のアンテナをさらに含み、第２のアンテナおよび第３のアンテナの各々が近位端および遠位端を有し、第１、第２および第３のアンテナの遠位端の各々が、互いに異なる円周方向位置で円筒体に連結される、条項５に記載の装置。
【０１３２】
条項１９．第１、第２および第３のアンテナの各々の近位端に連結された細長いワイヤをさらに含む、条項２０に記載の装置。
【０１３３】
条項２０．第１の長手方向位置および第２の長手方向位置が互いに長手方向に整列されていない、条項１に記載の装置。
【０１３４】
条項２１．第１の長手方向位置および第２の長手方向位置が互いに長手方向に整列されていない、請求項１６に記載の装置。
【０１３５】
条項２２．第１、第２、第３および第４のストラットのうちの１つ以上または全ての直線状部分が、それぞれのストラットの全長の２０％〜８０％を占める、条項１５に記載の装置。
【０１３６】
条項２３．第１、第２、第３および第４のストラットのうちの１つ以上または全ての直線状部分が、それぞれのストラットの全長の３０％〜７０％を占める、条項１５に記載の装置。
【０１３７】
条項３１．第１、第２、第３および第４のストラットのうちの１つ以上または全ての中間部分が、それぞれのストラットの全長の２０％〜８０％を占める、条項１６に記載の装置。
【０１３８】
条項３２．第１、第２、第３および第４のストラットのうちの１つ以上または全ての中間部分が、それぞれのストラットの全長の３０％〜７０％を占める、条項１６に記載の装置。
【図１】
2021512762.tif 000003
【図２Ａ】
2021512762.tif 000004
【図２Ｂ】
2021512762.tif 000005
【図２Ｃ】
2021512762.tif 000006
【図２Ｄ】
2021512762.tif 000007
【図２Ｅ】
2021512762.tif 000008
【図３Ａ】
2021512762.tif 000009
【図３Ｂ】
2021512762.tif 000010
【図４】
2021512762.tif 000011
【図５】
2021512762.tif 000012
【手続補正書】
【提出日】令和2年8月31日(2020.8.31)
【手続補正１】
【補正対象書類名】特許請求の範囲
【補正対象項目名】全文
【補正方法】変更
【補正の内容】
【特許請求の範囲】
【請求項１】
患者の身体の導管内の閉塞物を捕捉する装置であって、前記装置が、
円周および長手方向軸を有し、ストラットによって形成された複数のセル構造体を含む円筒体であって、前記複数のセル構造体の大部分が同じ大きさおよび形状であり、かつ前記長手方向軸の周りに斜め方向列に配置され、前記複数のセル構造体の前記大部分が、第１、第２、第３、第４および第５のセル構造体を含み、前記第１のセル構造体が、前記第２、第３、第４および第５のセル構造体に囲まれ、かつ前記第２、第３、第４および第５のセル構造体の各々と少なくとも１つのストラットを共有し、前記複数のセル構造体が各々、第１、第２、第３、第４、第５および第６のストラットを含み、前記第１、第２、第３、第４、第５および第６のストラットの各々が近位端および遠位端を有する、円筒体を含み、
前記第１のストラットの前記近位端が、第１の長手方向位置で前記第２のストラットの前記近位端に連結され、前記第３のストラットの前記遠位端が、前記第１の長手方向位置に対して遠位の第２の長手方向位置で前記第４のストラットの前記遠位端に連結され、前記第１のストラットの前記遠位端が、第３の長手方向位置で前記第５のストラットの前記近位端に連結され、前記第３のストラットの前記近位端が、第４の長手方向位置で前記第５のストラットの前記遠位端に連結され、前記第２のストラットの前記遠位端が、第５の長手方向位置で前記第６のストラットの前記近位端に連結され、前記第４のストラットの前記近位端が、第６の長手方向位置で前記第６のストラットの前記遠位端に連結され、前記第４の長手方向位置が、前記第６の長手方向位置に対して近位であり、前記第５のストラットの前記近位端および前記遠位端が、互いに長手方向に整列し、かつ第１の円周方向位置にあり、前記第６のストラットの前記近位端および前記遠位端が、互いに長手方向に整列し、かつ第２の円周方向位置にあり、前記第２の円周方向位置が前記第１の円周方向位置から離間され、前記装置が長手方向に切断されかつ表面上に平坦に置かれたとき、前記第１、第２、第３および第４のストラットの各々の少なくとも第１の部分が曲線状であり、かつ前記第１、第２、第３および第４のストラットの各々の少なくとも第２の部分が直線状である、装置。
【請求項２】
前記第１、第２、第３および第４のストラットの各々が、近位端部分、遠位端部分および中間部分を有し、前記中間部分が、前記近位端部分と前記遠位端部分との間に位置し、前記装置が長手方向に切断されかつ表面上に平坦に置かれたとき、前記近位端部分および前記遠位端部分が曲線状であり、かつ前記中間部分が直線状である、請求項１に記載の装置。
【請求項３】
前記装置が長手方向に切断されかつ表面上に平坦に置かれたとき、前記第５および第６のストラットのうちの少なくとも１つが直線状である、請求項１に記載の装置。
【請求項４】
前記装置が長手方向に切断されかつ表面上に平坦に置かれたとき、前記第５および第６のストラットの各々が直線状である、請求項１に記載の装置。
【請求項５】
前記装置が長手方向に切断されかつ表面上に平坦に置かれたとき、前記第５および第６のストラットのうちの少なくとも１つが直線状である、請求項２に記載の装置。
【請求項６】
前記装置が長手方向に切断されかつ表面上に平坦に置かれたとき、前記第５および第６のストラットの各々が直線状である、請求項２に記載の装置。
【請求項７】
前記円筒体が近位端および遠位端を有し、前記複数のセル構造体のうちの第１のセル構造体が、前記複数のセル構造体のうちの第２のセル構造体と長手方向に整列され、前記複数のセル構造体のうちの前記第１のセル構造体が、前記円筒体内で前記複数のセル構造体のうちの前記第２のセル構造体に対して近位に位置し、前記第１および第２の複数のセル構造体の各々が近位端および遠位端を有し、前記長手方向軸に対して平行に走り、かつ前記複数のセル構造体のうちの前記第１のセル構造体の前記遠位端と前記複数のセル構造体のうちの前記第２のセル構造体の前記近位端を接合させる仮想長手方向直線が、少なくとも２つの介在セル構造体と交差し、前記複数のセル構造体のうちの前記第２のセル構造体が、前記複数のセル構造体のうちの前記第１のセル構造体と長手方向に整列される、前記複数のセル構造体のうちの別のセル構造体のうちのいずれよりも前記複数のセル構造体のうちの前記第１のセル構造体の近くに位置する、請求項１に記載の装置。
【請求項８】
前記複数のセル構造体のうちの第１のセル構造体が、前記複数のセル構造体のうちの第２のセル構造体と長手方向に整列され、前記長手方向軸に対して平行に走り、かつ前記第１および第２のセル構造体の前記第５のストラットまたは前記第６のストラットと接合する仮想長手方向直線が、少なくとも３つの介在セル構造体と交差し、前記複数のセル構造体のうちの前記第２のセル構造体が、前記複数のセル構造体のうちの前記第１のセル構造体と長手方向に整列された、前記複数のセル構造体のうちの別のセル構造体のうちのいずれよりも前記複数のセル構造体のうちの前記第１のセル構造体の近くに位置する、請求項１に記載の装置。
【請求項９】
前記複数のセル構造体のうちの第１のセル構造体が、前記複数のセル構造体のうちの第２のセル構造体と長手方向に整列され、前記長手方向軸に対して平行に走りかつ前記第１および第２のセル構造体の前記第５のストラットまたは前記第６のストラットと接合する仮想長手方向直線が、少なくとも４つの介在セル構造体と交差し、前記複数のセル構造体のうちの前記第２のセル構造体が、前記複数のセル構造体のうちの前記第１のセル構造体と長手方向に整列された前記複数のセル構造体のうちの別のセル構造体のうちのいずれよりも前記複数のセル構造体のうちの前記第１のセル構造体の近くに位置する、請求項１に記載の装置。
【請求項１０】
前記複数のセル構造体のうちの第１のセル構造体および前記複数のセル構造体のうちの第２のセル構造体が同じ円周方向位置を占め、かつ２つ以上の斜め方向列だけ長手方向に離間され、前記複数のセル構造体のうちの前記第２のセル構造体が、前記複数のセル構造体のうちの前記第１のセル構造体と長手方向に整列された、前記複数のセル構造体のうちの別のセル構造体のうちのいずれよりも前記複数のセル構造体のうちの前記第１のセル構造体の近くに位置する、請求項１に記載の装置。
【請求項１１】
前記複数のセル構造体のうちの第１のセル構造体および前記複数のセル構造体のうちの第２のセル構造体が同じ円周方向位置を占め、かつ３つ以上の斜め方向列だけ長手方向に離間され、前記複数のセル構造体のうちの前記第２のセル構造体が、前記複数のセル構造体のうちの前記第１のセル構造体と長手方向に整列された、前記複数のセル構造体のうちの別のセル構造体のうちのいずれよりも前記複数のセル構造体のうちの前記第１のセル構造体の近くに位置する、請求項１に記載の装置。
【請求項１２】
前記複数のセル構造体のうちの第１のセル構造体および前記複数のセル構造体のうちの第２のセル構造体が同じ円周方向位置を占め、かつ４つ以上の斜め方向列だけ長手方向に離間され、前記複数のセル構造体のうちの前記第２のセル構造体が、前記複数のセル構造体のうちの前記第１のセル構造体と長手方向に整列された、前記複数のセル構造体のうちの別のセル構造体のうちのいずれよりも前記複数のセル構造体のうちの前記第１のセル構造体の近くに位置する、請求項１に記載の装置。
【請求項１３】
前記第５のストラットの前記遠位端および前記第６のストラットの前記近位端が円周方向に整列されている、請求項１に記載の装置。
【請求項１４】
前記第４の長手方向位置および前記第５の長手方向位置が円周方向に整列されている、請求項１に記載の装置。
【請求項１５】
近位端および遠位端を有する第１のアンテナをさらに含み、前記円筒体が前記第１のアンテナの前記遠位端に連結され、前記装置が長手方向に切断されかつ表面上に平坦に置かれたとき、前記第１のアンテナの少なくとも一部が直線状であり、前記第１のアンテナの前記少なくとも一部が、前記第５のストラットのうちの少なくとも１つの前記近位端および前記遠位端とならびに／または前記第６のストラットのうちの少なくとも１つの前記近位端および前記遠位端と長手方向に整列されている、請求項１に記載の装置。
【請求項１６】
前記装置が長手方向に切断されかつ表面上に平坦に置かれたとき、前記第５および第６のストラットのうちの少なくとも１つが直線状である、請求項１５に記載の装置。
【請求項１７】
前記装置が長手方向に切断されかつ表面上に平坦に置かれたとき、前記第５および第６のストラットの各々が直線状である、請求項１５に記載の装置。
【請求項１８】
近位端および遠位端を有する細長いワイヤをさらに含み、前記第１のアンテナの前記近位端が前記細長いワイヤの前記遠位端に連結される、請求項１５に記載の装置。
【請求項１９】
前記複数のセル構造体のうち、隣接するセル構造体が、前記第１、第２、第３、第４、第５または第６のストラットのうちの少なくとも１つを互いに共有し、前記隣接するセル構造体が互いに長手方向および円周方向にオフセットされる、請求項１に記載の装置。
【請求項２０】
前記第１、第２、第３および第４のストラットのうちの１つ以上または全ての前記中間部分が、それぞれの前記第１、第２、第３および第４のストラットの全長の３０％〜７０％を占める、請求項２に記載の装置。
【国際調査報告】
2021512762.tif 000013